【手続補正書】
【提出日】平成26年2月7日(2014.2.7)
【手続補正１】
【補正対象書類名】特許請求の範囲
【補正対象項目名】全文
【補正方法】変更
【補正の内容】
【特許請求の範囲】
【請求項１】
画像信号に対して画像中心からの位置情報に応じた補正を行なうための補正目標値を、画像信号から画像の切り出しを行なう切り出し位置情報に基づいて算出する補正目標値算出部と、
前記補正目標値に基づいて画像信号を補正する画像補正部と、
前記切り出し位置情報に基づいて画像を切り出す画像切り出し部と、
を具備する画像処理装置。
【請求項２】
前記補正目標値算出部は、切り出しを行なわない画像信号を補正する基準目標値から、前記切り出し位置情報に基づいて切り出しを行なう画像信号を補正するための補正目標値を算出する、
請求項１に記載の画像処理装置。
【請求項３】
前記補正目標値算出部は、切り出しを行なわない画像信号を前記基準目標値に基づいて補正したときと同じ補正の効果が得られるよう、補正目標値を算出する、
請求項２に記載の画像処理装置。
【請求項４】
前記切り出し位置情報は、切り出し後の画像の大きさの情報を含み、
前記補正目標値算出部は、切り出し前の画像の大きさと切り出し後の画像の大きさの比較結果に基づいて補正目標値を算出する、
請求項１に記載の画像処理装置。
【請求項５】
前記切り出し位置情報は、切り出し後の画像の中心位置の情報を含み、
前記補正目標値算出部は、切り出し前の画像の中心位置と切り出し後の画像の中心位置の差分に基づいて補正目標値を算出する、
請求項１に記載の画像処理装置。
【請求項６】
前記補正目標値算出部は、画像中心からの位置情報に応じて光量を落とす明るさ補正を行なうための補正目標値を算出する、
請求項１に記載の画像処理装置。
【請求項７】
前記補正目標値算出部は、切り出し前の画像信号の明るさの標準偏差と切り出し後の画像信号の明るさの標準偏差との比較結果に基づいて補正目標値を修正する、
請求項６に記載の画像処理装置。
【請求項８】
前記補正目標値算出部は、画像中心からの位置情報に応じて歪み量を強調する歪み強調補正を行なうための補正目標値を算出する、
請求項１に記載の画像処理装置。
【請求項９】
撮像部における光学データに基づいて補正目標値を補正した補正値を算出する補正値算出部をさらに備え、
前記画像補正部は、前記光学データに基づいて補正目標値を補正した補正値を用いて画像信号を補正する、
請求項１に記載の画像処理装置。
【請求項１０】
前記光学データは、前記撮像部に取り付けられたレンズの種類及び前記撮像部による撮像時の絞りを含み、
前記補正値算出部は、画像中心からの位置情報に応じて光量を落とす明るさ補正を行なうための補正目標値を、光学データとして取得されたレンズの種類及び絞りに基づいて補正して、補正値を算出する、
請求項９に記載の画像処理装置。
【請求項１１】
前記光学データは、前記撮像部に取り付けられたレンズの種類及び前記撮像部による撮像時の焦点距離を含み、
前記補正値算出部は、画像中心からの位置情報に応じて歪みを強調する歪み強調補正を行なうための補正目標値を、光学データとして取得されたレンズの種類及び焦点距離に基づいて補正して、補正値を算出する、
請求項９に記載の画像処理装置。
【請求項１２】
画像信号に対して画像中心からの位置情報に応じた補正を行なうための補正目標値を、画像信号から画像の切り出しを行なう切り出し位置情報に基づいて算出する補正目標値算出ステップと、
前記補正目標値に基づいて画像信号を補正する画像補正ステップと、
前記切り出し位置情報に基づいて画像を切り出す画像切り出しステップと、
を有する画像処理方法。
【請求項１３】
画像信号に対して画像中心からの位置情報に応じた補正を行なうための補正目標値を、画像信号から画像の切り出しを行なう切り出し位置情報に基づいて算出する補正目標値算出部、
前記補正目標値に基づいて画像信号を補正する画像補正部、
前記切り出し位置情報に基づいて画像を切り出す画像切り出し部、
としてコンピューターを機能させるようにコンピューター可読形式で記述されたコンピューター・プログラム。
【手続補正２】
【補正対象書類名】明細書
【補正対象項目名】００２７
【補正方法】変更
【補正の内容】
【００２７】
【図１】図１は、本明細書で開示する技術の一実施形態に係るディジタルスチルカメラ１００のハードウェア構成を模式的に示した図である。
【図２】図２は、ディジタルスチルカメラ１００内において、取得画像に対して光学効果を与えるための画像補正を施した後に画像切り出しを行なうための処理手順を示したフローチャートである。
【図３Ａ】図３Ａは、基準目標値と同じ周辺光量の落ち方を実現する補正目標値を算出する方法を説明するための図である。
【図３Ｂ】図３Ｂは、切り出し後の画像の中心位置に拘わらず、基準目標値と同じ周辺光量の落ち方を実現する補正目標値を算出する方法を説明するための図である。
【図４Ａ】図４Ａは、基準目標値並びに補正目標値の具体例を示した図である。
【図４Ｂ】図４Ｂは、基準目標値並びに補正目標値の具体例を示した図である。
【図５Ａ】図５Ａは、切り出し前の画像と中心位置が一致するように切り出し後の画像のサイズ及び位置が設定された場合における補正目標値ｇ（ｘ）をレンズや絞りに因る周辺光量落ち量ｈ（ｘ）と併せて示した図である。
【図５Ｂ】図５Ｂは切り出し後の画像の中心位置が切り出し前の画像からずれている場合における補正目標値ｇ（ｘ）をレンズや絞りに因る周辺光量落ち量ｈ（ｘ）と併せて示した図である。
【図６Ａ】図６Ａは、画像切り出しを行なわない場合の、画像補正により周辺光量が落ちた様子を示した図である。
【図６Ｂ】図６Ｂは、画像切り出しを行なう場合の、画像補正により周辺光量が落ちた様子を示した図である。
【図６Ｃ】図６Ｃは、画像切り出しを行なう場合の、画像補正により周辺光量が落ちた様子を示した図である。
【図７】図７は、ディジタルスチルカメラ１００内において、取得画像に対して光学効果を与えるための画像補正を施した後に画像切り出しを行なうための処理手順を示したフローチャートである。
【手続補正３】
【補正対象書類名】明細書
【補正対象項目名】００４０
【補正方法】変更
【補正の内容】
【００４０】
出力部１１１は、エンコード部１１０で符号化圧縮された画像データを出力する。出力先は例えばメモリーカードであり、出力部１１１は、メモリーカードに画像データを記録する。
【手続補正４】
【補正対象書類名】明細書
【補正対象項目名】００５０
【補正方法】変更
【補正の内容】
【００５０】
補正目標値算出部１０５は、あらかじめ決められた基準目標値ｆ（ｘ）を保持しており、切り出し位置情報取得部１０４で取得した切り出し画像の位置情報（切り出し後の画像のサイズ及び中心位置）に基づいて、補正目標値ｇ（ｘ）を算出する。補正目標値算出部１０５は、切り出し後の画像の画像サイズ毎にあらかじめ算出された補正目標値ｇ（ｘ）を記述した補正テーブルを不揮発的に保持しておき、切り出し処理を行なう際に補正テーブルを参照するようにしてもよい。
【手続補正５】
【補正対象書類名】明細書
【補正対象項目名】００５４
【補正方法】変更
【補正の内容】
【００５４】
補正目標値算出部１０５は、あらかじめ決められた基準目標値ｆ（ｘ）を保持しており、切り出し位置情報取得部１０４で取得した切り出し画像の位置情報（切り出し後の画像のサイズ及び中心位置）に基づいて、上式（１）又は（２）に示すように補正目標値ｇ（ｘ）を算出する。補正目標値算出部１０５は、切り出し後の画像の画像サイズ毎にあらかじめ算出された補正目標値ｇ（ｘ）を記述した補正テーブルを不揮発的に保持しておき、切り出し処理を行なう際に補正テーブルを参照するようにしてもよい。
【手続補正６】
【補正対象書類名】明細書
【補正対象項目名】００５５
【補正方法】変更
【補正の内容】
【００５５】
また、補正目標値算出部１０５は、補正目標値の算出に、画像データの輝度分布情報を用いるようにしてもよい。周辺光量落ちの効果は、均一な明るさの被写体でより分かり易くなる。そのため、切り出し前の画像データにおける明るさの標準偏差σ0と、切り出し後に相当する画像データにおける明るさの標準偏差σ1とを比較し、上記のように切り出し後の画像サイズに基づいて算出された補正目標値に対し、この比較結果に基づいて修正を行なうようにしてもよい。例えば、切り出し前の画像データにおける明るさの標準偏差σ0と、切り出し後に相当する画像データにおける明るさの標準偏差σ1とを用いて、切り出しを行なう場合の画像中心からの位置情報ｘに応じた光量の落ち方に関する補正目標値ｇ（ｘ）を、下式（３）のように算出するようにしてもよい。
【手続補正７】
【補正対象書類名】明細書
【補正対象項目名】００８２
【補正方法】変更
【補正の内容】
【００８２】
まず、ユーザーがディジタルスチルカメラ１００を歪み強調モードに設定したかどうかをチェックする（ステップＳ７０１）。歪み強調モードに設定されていないときには（ステップＳ７０１のＮｏ）、後続のステップをすべてスキップして、本処理ルーチンを終了する。歪み強調モードでない場合には、他の画像処理が施される場合もある。
【手続補正８】
【補正対象書類名】明細書
【補正対象項目名】００８８
【補正方法】変更
【補正の内容】
【００８８】
補正目標値算出部１０５は、あらかじめ決められた基準目標値ｆ（ｘ）を保持しており、切り出し位置情報取得部１０４で取得した切り出し画像の位置情報（切り出し後の画像のサイズ及び中心位置）に基づいて、上式（９）に示すように補正目標値ｇ（ｘ）を算出する。補正目標値算出部１０５は、切り出し後の画像の画像サイズ毎にあらかじめ算出された補正目標値ｇ（ｘ）を記述した補正テーブルを不揮発的に保持しておき、切り出し処理を行なう際に補正テーブルを参照するようにしてもよい。
【手続補正９】
【補正対象書類名】図面
【補正対象項目名】図１
【補正方法】変更
【補正の内容】
【図１】
2012222465.tif 000001